(57)【要約】【課題】確実に紐の結び目を固定でき、長時間使用しても結び目が解けにくい紐の結び目固定具を提供すること。【解決手段】折り曲げて接合する面に、互いに係合する係合素子を備えた係合素子面を有し、裏面に係合素子を有しない意匠的機能面を有する紐の結び目固定具であって、該固定具の長手方向の折り目以外の位置に、紐の通し穴を少なくとも１つ設けたことを特徴とする紐の結び目固定具である。【選択図】図２
0003117767.tif 000002
【実用新案登録請求の範囲】
【請求項１】
折り曲げて接合する面に、互いに係合する係合素子を備えた係合素子面を有し、裏面に係合素子を有しない意匠的機能面を有する紐の結び目固定具であって、該固定具の長手方向の折り目以外の位置に、紐の通し穴を少なくとも１つ設けたことを特徴とする紐の結び目固定具。
【請求項２】
固定具が、面ファスナーと、意匠的機能面を構成する他の素材とを積層して構成したものである請求項１記載の紐の結び目固定具。
【請求項３】
固定具が、面ファスナーの裏面を意匠的機能面としたものである請求項１記載の紐の結び目固定具。
【請求項４】
面ファスナーが、フック状係合素子とループ状係合素子を同一面に有するものである請求項２又は３に記載の紐の結び目固定具。
【請求項５】
面ファスナーが、フック状係合素子領域とループ状係合素子領域からなるものである請求項１〜４のいずれか１項に記載の紐の結び目固定具。
【請求項６】
フック状係合素子が、樹脂基板にキノコ状又は矢じり状素子を立設した成形フック面ファスナーである請求項４又は５に記載の紐の結び目固定具。
【請求項７】
靴紐の結び目固定に使用される、請求項１〜６のいずれか１項に記載の紐の結び目固定具。
【請求項８】
衣類に付設される紐の結び目固定に使用される、請求項１〜６のいずれか１項に記載の紐の結び目固定具。
【請求項９】
書類又は箱に付設される紐の結び目固定に使用される、請求項１〜６のいずれか１項に記載の紐の結び目固定具。
【請求項１０】
３つ折りして使用される固定具であって、被着体表面に設けた面ファスナーと、該固定具の係合素子面の一部を係合させ、該固定具を一次折りし、被着体の紐を固定具の通し穴に通して結び目を作り、さらに該固定具を二次折りして紐の結び目を覆うように構成された請求項１〜９のいずれか１項に記載の紐の結び目固定具。
【考案の詳細な説明】
【技術分野】
【０００１】
本考案は、靴、衣類、書類、箱などに付設される紐の結び目固定具に関し、さらに詳しくは面ファスナーを用いた紐の結び目固定具に関する。
【背景技術】
【０００２】
紐は、緊締用具として広く使用されており、その結び目の処理にも種々の工夫がなされている。例えば、紐結びの代表である靴の紐結びに関しては、特許文献１〜４が提案されている。
特許文献１には、紐を完全に代用するものとして、面ファスナー用テープを環を通して折り曲げて係合し、紐結びと解締の手間を省いたファスナー用テープの構造が開示され、実用化されている。
特許文献２には、走行中に余剰の靴紐が邪魔にならないように、靴紐の余部をまとめてストッパーでとめ、面ファスナーを用いた収納部でまとめて固定する構造の運動靴が開示されている。
【０００３】
特許文献３には、靴紐や衣類の紐を結ばずに固定する止め具として、表面に面ファスナーＡ面とＢ面とを有し、かつ、それぞれに通し穴を開けてある一対の板状小片を、結び紐の両端側に可動的に取り付けた結び紐止め具が開示されている。
また、特許文献４には、靴紐の乱れを防止するために、履き口の前面上部にアッパー生地を延長連設してなるベロを設け、該ベロを前方に折り曲げ、靴の上端左右に設けた面ファスナーと接着して、靴紐の端末結び目を覆うとともに、靴内に埃が入らぬよう開口部を閉鎖する構造とした高所作業用安全靴が開示されている。
しかしながらこれら従来の紐の固定技術では、結び目の固定が不十分で、長時間履き続けていたり、激しい運動を行ったりした場合、結び目が解けるという問題点があった。
【０００４】
【特許文献１】実開昭６１−１７４４０５号公報
【特許文献２】実開平７−４３０３９号公報
【特許文献３】特開平８−２１４９２２号公報
【特許文献４】登録実用新案第３０５６７８０号公報
【考案の開示】
【考案が解決しようとする課題】
【０００５】
本考案は、確実に紐の結び目を固定でき、長時間使用しても結び目が解けにくい紐の結び目固定具を提供することを目的とする。
【課題を解決するための手段】
【０００６】
本考案は、折り曲げて接合する面に、互いに係合する係合素子を備えた係合素子面を有し、裏面に係合素子を有しない意匠的機能面を有する紐の結び目固定具であって、該固定具の長手方向の折り目以外の位置に、紐の通し穴を少なくとも１つ設けたことを特徴とする紐の結び目固定具、を提供するものである。
【考案の効果】
【０００７】
本考案によれば、靴、衣類、書類、箱などに付設される紐の結び目の固定を容易かつ確実に行うことができ、しかも固定具の一面を意匠的機能面として使用できるため、製品の識別、宣伝具としても利用可能な紐の結び目固定具を提供することができる。さらに意匠的機能面の素材を選択することにより、衣類に付設する固定具などとして使用する際に、独特の修飾効果を与えることもできる。
【考案を実施するための最良の形態】
【０００８】
以下、図面を用いて本考案を詳細に説明する。図１〜５に本考案に係る紐の固定具の実施形態を示す。図１は、結び目固定具１の一例を示す斜視図であり、図２は、図１に示す固定具１を靴の紐の固定に使用する態様を説明する概略図である。図３は固定具１を２つ折り、図４は固定具１を３つ折りで使用した状態を示す部分断面図である。
図1において、結び目固定具１は一面に多数の係合素子２（フック状係合素子２ａとループ状係合素子２ｂ）を有する係合素子面３とその裏面に意匠的機能面４を有する。係合素子面３としては、その面が互いに接合したときに係合するものであればよく、フック状係合素子２ａとループ状係合素子２ｂが共存するフック・ループ混在型面ファスナーや、フック面ファスナーとループ面ファスナーとを一面にそれぞれ付設したものを使用することができる。これらの面ファスナーは、市販されており、それらを適宜選択して使用することができる。
【０００９】
本考案の結び目固定具１は、被着体（靴）１０の表面上で、図３に示すように２つ折り、又は図４に示すように３つ折りとして使用されるため、フック面ファスナーとループ面ファスナーを接合する面を考慮して、フック状係合素子２ａとループ状係合素子２ｂの存在する各領域を決める。
フック面ファスナーとしては、布製基布にかぎ状又はキノコ状係合素子を立設したもの、又は樹脂基板にキノコ状又は矢じり状素子を立設した成形フック面ファスナーを使用できる。柔軟性と耐久性の観点から、フック面ファスナーは、かぎ状素子を有する布製面ファスナーが好ましい。
ループ面ファスナーとしては、布製基布の上に多数のループ状繊維を立設したもの、起毛した不織布などの、フック面ファスナーと係合することができるものを使用できる。
【００１０】
結び目固定具１には、その長手方向の折り目以外の位置に、紐を通す通し穴５が少なくとも１つ設けられている。通し穴５は２本の紐が通る大きさとするか、1本の紐が通る細い通し穴５を２つ設けることもできる。また、結び目の状態を確認できるようにするため、又は意匠性を付与するために、別の位置に適宜な大きさの孔（図示せず）を設けることもできる。
【００１１】
本考案の結び目固定具１を使用する場合は、図２に示すように、被着体１０の表面で係合素子面３を上向きにして設置し、靴紐６、６’を下から通し穴５に通し、その部位で結び目を作る。次いで、その結び目位置よりやや上部から矢印方向に折り曲げて、係合素子面３同士を係合する。
なお、図１及び図２において、左半分がフック面ファスナー、右半分がループ面ファスナーとなっているが、逆の態様を採用することもできるし、通し穴５を固定具１の折り目近傍に設けることもできる。
【００１２】
図３に示すように、被着体（靴）１０の表面上で固定具１を２つ折りで使用する場合は、結び目を越えた部分で係合素子面３同士が係合するので隙間はなくなり、紐６、６’の結び目及び結び目付近の部分が固定具１と一体化して固定される。
すなわち、本考案の固定具によれば、結び目だけが固定されるのではなく、結び目付近の紐の部分も係合素子面３で固定される。このため、結び目がゆるい場合でも紐が移動し難く、結び目が安定する効果があり、長時間履き続けていたり、激しい運動を行ったりしても、結び目が解けることなく維持される。
【００１３】
また、図４に示すように、被着体（靴）１０の表面上で固定具１を３つ折りで使用する場合は、被着体表面に設けた面ファスナーと、該固定具の係合素子面の一部を係合させ、該固定具を一次折りし、被着体の紐を固定具の通し穴に通して結び目を作り、さらに該固定具を二次折りして紐の結び目を覆うように構成することが好ましい。
図４において、被着体１０の表面には固定具１と係合するための面ファスナー７が設けられ、その部位で被着体１０に固定具１を係合し、固定する。次いで、適当な位置で固定具１を一次折り曲げ位置８で折り曲げて、通し穴５が結び目の位置になるよう設置し、靴紐６、６’を下から通し穴５に通し、その部位で結び目を作る。次いで、二次折り曲げ９位置で折り曲げて、係合素子面３同士を係合すると、意匠的機能面４は最外表面に現れる。
図４の態様では、被着体１０と固定具１及び結び目の三者が一体化されるので、被着体１０に対して最も安定な固定具１を提供できる。被着体１０の面ファスナー７は、被着体１０の構造を考慮して、任意の適当な位置に設けることができる。
【００１４】
図５は、本考案の結び目固定具１の装着状態を示す平面略図である。図５において、紐６、６’の結び目は固定具１により隠されて外から見ることができないが、意匠的機能面４が折り返されて表面に現れている。従って、意匠的機能面４に文字、イラストなどを、目的に応じて適宜付与すれば、各種の意匠面を提供することできる。
【００１５】
本考案の結び目固定具１は、面ファスナーを係合素子面３とし、意匠的機能面４を繊維布帛、不織布、フィルム、（合成）皮革類などの他の素材からなるものとして、両者を積層して構成することができる。また面ファスナーの裏面をそのまま意匠的機能面４とすることもでき、そうすればより薄く廉価な固定具１を提供することができる。意匠的機能面４には、模様、文字、彩色などを付与し、製品の識別、宣伝としたり、審美効果を与えることができる。
【００１６】
本考案の結び目固定具１は、衣類や書類又は箱に付設される紐の結び目固定に使用することができる。衣類に使用する場合は、特に審美効果が大きい。
本考案の結び目固定具１は、使用しようとする具体的な目的、態様、機能に応じて、形状、幅、長さを適宜決定することができる。例えば、図１に示したテープ状などの矩形の他、円形、長円、多角形など各種の形状を採用することができる。また、意匠的機能面４に１又はそれ以上の穴（図示せず）を設け、審美効果を高めることもできる。
【産業上の利用可能性】
【００１７】
本考案の紐の結び目固定具は、靴に使用する固定具だけでなく、衣類、箱類などに付設される紐の結び目固定に使用することができる。
【図面の簡単な説明】
【００１８】
【図１】本考案による紐の結び目固定具の一例を示す斜視図である。
【図２】図１に示す固定具を靴の紐の固定に使用する態様を説明する概略図である。
【図３】図２の固定具を２つ折りで使用した状態を示す部分断面図である。
【図４】図２の固定具を３つ折りで使用した状態を示す部分断面図である。
【図５】紐の結び目固定具の装着状態を示す平面略図である。
【符号の説明】
【００１９】
１：結び目固定具
２ａ：フック状係合素子
２ｂ：ループ状係合素子
３：係合素子面
４：意匠的機能面
５：通し穴
６、６’：紐
７：被着体１０の面ファスナー
８：一次折り曲げ位置
９：二次折り曲げ位置
１０：被着体
【図１】
0003117767.tif 000003
【図２】
0003117767.tif 000004
【図３】
0003117767.tif 000005
【図４】
0003117767.tif 000006
【図５】
0003117767.tif 000007